(57)【特許請求の範囲】
【請求項１】
アナログ信号をサンプリングしデジタル値に変換し出力するアナログ／デジタル変換手段と、前記デジタル値を遅延時間Ｌだけ遅らせて出力するデジタル値遅延出力手段と、前記アナログ信号に突発ノイズが混入したことを検出すると検出パルスを出力する突発ノイズ検出手段と、前記デジタル値遅延出力手段の出力の削除動作中でない時に発生した前記検出パルスを基準として削除開始時間Ｌ−Ｂ経過後から前記デジタル値遅延出力手段の出力の削除動作を開始すると共に前記検出パルスの発生後から前記削除動作が終了するまでに新たな検出パルスが発生しなければ前記検出パルスを基準として削除終了時間Ｌ＋Ａ経過後に前記削除動作を終了し且つ前記新たな検出パルスが発生すれば該新たな検出パルスを基準として削除終了時間Ｌ＋Ａ経過後に前記削除動作を終了するように削除動作を延長するノイズ削除手段とを具備したことを特徴とする突発ノイズ削除装置。
【請求項２】
請求項１に記載の突発ノイズ削除装置において、前記デジタル値遅延出力手段は、ＦｉＦｏであることを特徴とする突発ノイズ削除装置。
【請求項３】
請求項１または請求項２に記載の突発ノイズ削除装置において、前記突発ノイズ検出手段は、前記アナログ信号の振幅が前記閾値を超えた時から前記閾値以下となった時までのパルス幅をもつ検出パルスを出力する手段であることを特徴とする突発ノイズ削除装置。
【請求項４】
請求項１から請求項５のいずれかに記載の突発ノイズ削除装置において、前記ノイズ削除手段は、前記デジタル値遅延出力手段の出力の削除動作中でない時に発生した前記検出パルスを基準として削除開始時間Ｌ−Ｂ経過後に削除指示信号の出力を開始すると共に前記検出パルスの発生後から前記削除指示信号の出力終了までに新たな検出パルスが発生しなければ前記検出パルスを基準として削除終了時間Ｌ＋Ａ経過後に前記削除指示信号の出力を終了し且つ前記新たな検出パルスが発生すれば該新たな検出パルスを基準として削除終了時間Ｌ＋Ａ経過後まで前記削除指示信号の出力を続ける削除指示信号出力手段と、前記削除指示信号が出力されている間の前記デジタル値遅延出力手段の出力を削除するデータ削除手段とからなることを特徴とする突発ノイズ削除装置。
【請求項５】
請求項６に記載の突発ノイズ削除装置において、前記削除指示信号出力手段は、前記検出パルスを読み込んでから時間Ｌ−Ｂ経過後に前記パルス幅の時間だけ「１」になる第１出力と前記検出パルスを読み込んでから時間Ｌ＋Ａ経過後に前記パルス幅の時間だけに「１」になる第２出力とを持つシフトレジスタと、前記第１出力でカウントアップし前記第２出力でカウントダウンするアップダウンカウンタと、前記アップダウンカウンタの計数値が「０」でない時だけ「１」を出力する論理和回路とからなり、前記論理和回路の出力が「１」の時を前記削除指示信号とすることを特徴とする突発ノイズ削除装置。
【請求項６】
請求項５に記載の突発ノイズ削除装置において、前記アップダウンカウンタは、前記第１出力の立上りでカウントアップすることを特徴とする突発ノイズ削除装置。
【請求項７】
請求項５または請求項６に記載の突発ノイズ削除装置において、前記アップダウンカウンタは、前記第２出力の立下りでカウントダウンすることを特徴とする突発ノイズ削除装置。
【請求項８】
請求項１から請求項７のいずれかに記載の突発ノイズ削除装置において、前記アナログ信号は、ＭＲＩ装置の受信ＭＲ信号であることを特徴とする突発ノイズ削除装置。
【発明の詳細な説明】
【技術分野】
【０００１】
本発明は、突発ノイズ削除装置に関し、更に詳しくは、１回限りのデータでも突発ノイズを除去でき、大容量のメモリを必要としない突発ノイズ削除装置に関する。
【背景技術】
【０００２】
従来、トリガ回数分の過去の波形データをメモリに記憶しておき、同一時間の複数の波形データの中央値データを選出して表示する波形表示装置が知られている（例えば特許文献１参照。）
【特許文献１】特開２００３−９８１９３号公報
【発明の開示】
【発明が解決しようとする課題】
【０００３】
上記従来の波形表示装置では、同一時間の複数の波形データの中央値データを選出することにより突発ノイズを除去している。
しかし、トリガ回数が１回だけの場合は突発ノイズを除去できない。また、大容量のメモリが必要になる問題点がある。
そこで、本発明の目的は、１回限りのデータでも突発ノイズを除去でき、大容量のメモリを必要としない突発ノイズ削除装置を提供することにある。
【課題を解決するための手段】
【０００４】
第１の観点では、本発明は、アナログ信号をサンプリングしデジタル値に変換し出力するアナログ／デジタル変換手段と、前記デジタル値を遅延時間Ｌだけ遅らせて出力するデジタル値遅延出力手段と、前記アナログ信号に突発ノイズが混入したことを検出すると検出パルスを出力する突発ノイズ検出手段と、前記デジタル値遅延出力手段の出力の削除動作中でない時に発生した前記検出パルスを基準として削除開始時間Ｌ−Ｂ経過後から前記デジタル値遅延出力手段の出力の削除動作を開始すると共に前記検出パルスの発生後から前記削除動作が終了するまでに新たな検出パルスが発生しなければ前記検出パルスを基準として削除終了時間Ｌ＋Ａ経過後に前記削除動作を終了し且つ前記新たな検出パルスが発生すれば該新たな検出パルスを基準として削除終了時間Ｌ＋Ａ経過後に前記削除動作を終了するように削除動作を延長するノイズ削除手段とを具備したことを特徴とする突発ノイズ削除装置を提供する。
上記第１の観点による突発ノイズ削除装置では、突発ノイズが１発だけの場合は、突発ノイズより「Ｌ−Ｂ」時間だけ前の時刻から突発ノイズより「Ｌ＋Ａ」時間だけ後の時刻までのデータを削除することが出来る。また、突発ノイズが連続して２発以上の場合は、最初の突発ノイズより「Ｌ−Ｂ」時間だけ前の時刻から最後の突発ノイズより「Ｌ＋Ａ」時間だけ後の時刻までのデータを削除することが出来る。そして、１回限りのデータでも突発ノイズを除去でき、大容量のメモリを必要としない。
【０００５】
第２の観点では、本発明は、前記第１の観点による突発ノイズ削除装置において、前記デジタル値遅延出力手段は、ＦｉＦｏであることを特徴とする突発ノイズ削除装置を提供する。
上記第２の観点による突発ノイズ削除装置では、ＦｉＦｏ（First in First out）を利用して、デジタル値を遅延時間Ｌだけ遅らせて出力することが出来る。
【０００６】
第３の観点では、本発明は、前記第１または前記第２の観点による突発ノイズ削除装置において、前記突発ノイズ検出手段は、前記アナログ信号の振幅が前記閾値を超えた時から前記閾値以下となった時までのパルス幅をもつ検出パルスを出力する手段であることを特徴とする突発ノイズ削除装置を提供する。
上記第３の観点による突発ノイズ削除装置では、アナログ信号の振幅と閾値とを比較する簡単な回路または処理により、突発ノイズを検出することが出来る。
【０００７】
第４の観点では、本発明は、前記第１から前記第５のいずれかの観点による突発ノイズ削除装置において、前記ノイズ削除手段は、前記デジタル値遅延出力手段の出力の削除動作中でない時に発生した前記検出パルスを基準として削除開始時間Ｌ−Ｂ経過後に削除指示信号の出力を開始すると共に前記検出パルスの発生後から前記削除指示信号の出力終了までに新たな検出パルスが発生しなければ前記検出パルスを基準として削除終了時間Ｌ＋Ａ経過後に前記削除指示信号の出力を終了し且つ前記新たな検出パルスが発生すれば該新たな検出パルスを基準として削除終了時間Ｌ＋Ａ経過後まで前記削除指示信号の出力を続ける削除指示信号出力手段と、前記削除指示信号が出力されている間の前記デジタル値遅延出力手段の出力を削除するデータ削除手段とからなることを特徴とする突発ノイズ削除装置を提供する。
上記第４の観点による突発ノイズ削除装置では、突発ノイズが１発だけの場合は、突発ノイズより「Ｌ−Ｂ」時間だけ前の時刻から突発ノイズより「Ｌ＋Ａ」時間だけ後の時刻までのデータを削除することが出来る。また、突発ノイズが連続して２発以上の場合は、最初の突発ノイズより「Ｌ−Ｂ」時間だけ前の時刻から最後の突発ノイズより「Ｌ＋Ａ」時間だけ後の時刻までのデータを削除することが出来る。
【０００８】
第５の観点では、本発明は、前記第６の観点による突発ノイズ削除装置において、前記削除指示信号出力手段は、前記検出パルスを読み込んでから時間Ｌ−Ｂ経過後に前記パルス幅の時間だけ「１」になる第１出力と前記検出パルスを読み込んでから時間Ｌ＋Ａ経過後に前記パルス幅の時間だけに「１」になる第２出力とを持つシフトレジスタと、前記第１出力でカウントアップし前記第２出力でカウントダウンするアップダウンカウンタと、前記アップダウンカウンタの計数値が「０」でない時だけ「１」を出力する論理和回路とからなり、前記論理和回路の出力が「１」の時を前記削除指示信号とすることを特徴とする突発ノイズ削除装置を提供する。
上記第５の観点による突発ノイズ削除装置では、シフトレジスタと論理和回路とにより削除指示信号出力手段を構成することが出来る。
【０００９】
第６の観点では、本発明は、前記第５の観点による突発ノイズ削除装置において、前記アップダウンカウンタは、前記第１出力の立上りでカウントアップすることを特徴とする突発ノイズ削除装置を提供する。
上記第６の観点による突発ノイズ削除装置では、検出パルスのパルス幅が大きい場合でも遅れずに削除指示信号を出力することが出来る。
【００１０】
第７の観点では、本発明は、前記第５または前記第６の観点による突発ノイズ削除装置において、前記アップダウンカウンタは、前記第２出力の立下りでカウントダウンすることを特徴とする突発ノイズ削除装置を提供する。
上記第７の観点による突発ノイズ削除装置では、検出パルスのパルス幅が大きい場合でも不足のない時刻まで削除指示信号を出力することが出来る。
【００１１】
第８の観点では、本発明は、前記第１から前記第７のいずれかの観点による突発ノイズ削除装置において、前記アナログ信号は、ＭＲＩ（Magnetic Resonance Imaging）装置の受信ＭＲ（Magnetic Resonance）信号であることを特徴とする突発ノイズ削除装置を提供する。
上記第８の観点による突発ノイズ削除装置では、ＭＲＩ装置の受信ＭＲ信号から突発ノイズを好適に削除することが出来る。
【発明の効果】
【００１２】
本発明の突発ノイズ削除装置によれば、１回限りのデータでも突発ノイズを除去でき、大容量のメモリを必要としない。
【発明を実施するための最良の形態】
【００１３】
以下、図に示す実施の形態により本発明をさらに詳細に説明する。なお、これにより本発明が限定されるものではない。
【実施例１】
【００１４】
図１は、実施例１にかかる突発ノイズ削除装置１００を示すブロック図である。
この突発ノイズ削除装置１００は、ＭＲＩ装置の受信ＭＲ信号ａ（＝アナログ信号）をサンプリングしデジタル値ｄ１に変換し出力するアナログ／デジタル変換器１と、デジタル値ｄ１を遅延時間Ｌだけ遅らせて出力するＦｉＦｏ２と、受信ＭＲ信号ａに突発ノイズ（図２のｎ１）が混入したことを検出すると検出パルスＮを出力する突発ノイズ検出回路３と、検出パルスＮを読み込んでから時間Ｌ−Ｂ経過後に検出パルスＮのパルス幅の時間だけ「１」になる第１出力Ｓ１と検出パルスＮを読み込んでから時間Ｌ＋Ａ経過後に検出パルスＮのパルス幅の時間だけに「１」になる第２出力Ｓ２とを持つシフトレジスタ４と、第１出力Ｓ１の立上りでカウントアップし第２出力Ｓ２の立下りでカウントダウンするアップダウンカウンタ５と、削除指示信号Ｈとしてアップダウンカウンタ５の計数値Ｇが「０」でない時だけ「１」を出力する論理和回路６と、削除指示信号Ｈが出力されている間のＦｉＦｏ２の出力を強制的に「０」にするデータ削除処理部７とを具備してなる。
【００１５】
図２は、突発ノイズが単発の場合の各部の信号を示すタイムチャートである。
（ａ）に示すように、受信ＭＲ信号ａは、閾値Ｔｈ１と閾値Ｔｈ２の間に振幅が入る正弦波であり、突発ノイズｎ１が乗ると振幅が閾値Ｔｈ１または閾値Ｔｈ２を超えるものとする。
（ｂ）に示すように、デジタル値ｄ１は、受信ＭＲ信号ａをサンプリングしたデジタル値である。突発ノイズｎ１が乗った時のデジタル値（×印）は削除すべきデータである。また、その前後のデジタル値（斜線）も信頼性が低いので削除した方が良いデータである。
（ｃ）に示すように、デジタル値ｄ２は、デジタル値ｄ１を遅延時間Ｌだけ遅らせたものである。
（ｄ）に示すように、検出パルスＮ１は、受信ＭＲ信号ａの振幅が閾値Ｔｈ１，Ｔｈ２を超えた時から閾値Ｔｈ１，Ｔｈ２以下となった時までのパルス幅をもつパルス信号である。
【００１６】
シフトレジスタ４は、検出パルスＮ１のパルス幅よりも十分に小さい周期τのクロックＣＫによって検出パルスＮ１を読み込んでシフトする。例えば、遅延時間Ｌ＝６μｓ、Ｂ＝３μｓ、Ａ＝３μｓなら、周期τ＝１μｓとし、シフトレジスタ４のビット数を１０ビットとし、第４ビットを第１出力Ｓ１とし、第１０ビットを第２出力Ｓ２とする。これにより、（ｅ）に示すように、第１出力Ｓ１は検出パルスＮ１を読み込んでから３μｓ（＝Ｌ−Ｂ）経過後から検出パルスＮ１のパルス幅の時間だけ「１」になる。また、（ｆ）に示すように、第２出力Ｓ２は検出パルスＮ１を読み込んでから９μｓ（＝Ｌ＋Ａ）経過後に検出パルスＮ１のパルス幅の時間だけに「１」になる。
【００１７】
（ｇ）に示すように、アップダウンカウンタ５の計数値Ｇは、「０」に初期化されており、第１出力Ｓ１でカウントアップし、第２出力Ｓ２でカウントダウンする。
（ｈ）に示すように、削除指示信号Ｈは、アップダウンカウンタ５の計数値Ｇが「０」でない時だけ「１」になる。
【００１８】
データ削除処理部７は、削除指示信号Ｈが「０」の間はＦｉＦｏ２の出力ｄ２をスルーで出力ｄ３とし、削除指示信号Ｈが「１」の間は出力ｄ３を「０」とする。
【００１９】
図３は、突発ノイズが連続２発の場合の各部の信号を示すタイムチャートである。
（ａ）に示すように、突発ノイズｎ１，ｎ２が乗ると、受信ＭＲ信号ａの振幅が閾値Ｔｈ１または閾値Ｔｈ２を超える。
（ｂ）に示すように、デジタル値ｄ１は、受信ＭＲ信号ａをサンプリングしたデジタル値である。突発ノイズｎ１，ｎ２が乗った時のデジタル値（×印）は削除すべきデータである。また、その前後のデジタル値（斜線）も信頼性が低いので削除した方が良いデータである。
（ｃ）に示すように、デジタル値ｄ２は、デジタル値ｄ１を遅延時間Ｌだけ遅らせたものである。
（ｄ）に示すように、検出パルスＮ１，Ｎ２は、受信ＭＲ信号ａの振幅が閾値Ｔｈ１，Ｔｈ２を超えた時から閾値Ｔｈ１，Ｔｈ２以下となった時までのパルス幅をもつパルス信号である。
【００２０】
（ｅ）に示すように、第１出力Ｓ１は検出パルスＮ１，Ｎ２を読み込んでから３μｓ（＝Ｌ−Ｂ）経過後から検出パルスＮ１，Ｎ２のパルス幅の時間だけ「１」になる。
（ｆ）に示すように、第２出力Ｓ２は検出パルスＮ１，Ｎ２を読み込んでから９μｓ（＝Ｌ＋Ａ）経過後に検出パルスＮ１，Ｎ２のパルス幅の時間だけに「１」になる。
【００２１】
（ｇ）に示すように、アップダウンカウンタ５の計数値Ｇは、「０」に初期化されており、第１出力Ｓ１でカウントアップし、第２出力Ｓ２でカウントダウンする。
（ｈ）に示すように、削除指示信号Ｈは、アップダウンカウンタ５の計数値Ｇが「０」でない時だけ「１」になる。
【００２２】
データ削除処理部７は、削除指示信号Ｈが「０」の間はＦｉＦｏ２の出力ｄ２をスルーで出力ｄ３とし、削除指示信号Ｈが「１」の間は出力ｄ３を「０」とする。
【００２３】
実施例１の突発ノイズ削除装置１００によれば、１回限りのデータでも突発ノイズを除去できる。また、大容量のメモリを必要としない。さらに、突発ノイズが連続した場合でも正しく突発ノイズを削除できる。
【産業上の利用可能性】
【００２４】
本発明の突発ノイズ削除装置は、ＭＲＩ装置の受信ＭＲ信号から突発ノイズを削除するのに利用できる。
【図面の簡単な説明】
【００２５】
【図１】実施例１に係る突発ノイズ削除装置の構成を示すブロック図である。
【図２】突発ノイズが単発の場合の各部の信号を示すタイムチャートである。
【図３】突発ノイズが連続２発の場合の各部の信号を示すタイムチャートである。
【符号の説明】
【００２６】
１                    アナログ／デジタル変換器
２                    ＦｉＦｏ
３                    突発ノイズ検出回路
４                    シフトレジスタ
５                    アップダウンカウンタ
６                    論理和回路
７                    データ削除処理部
１００                突発ノイズ削除装置
【図１】
0004629542.tif 000002
【図２】
0004629542.tif 000003
【図３】
0004629542.tif 000004